(57)【特許請求の範囲】
【請求項１】
梁間方向に架設した左右一対の側枠と、前記一対の側枠の先端部間に支持固定される前枠とを備えた簡易屋根の小屋組において、
前記各側枠と前記前枠との接合部分に位置して当該前枠および当該側枠のいずれか一方に固定されると共に掛止め孔を形成したブラケットと、
前記前枠および前記側枠の他方に固定されると共に当該前枠を当該側枠に当てがった状態で前記掛止め孔に掛止めされるねじ部材とを備え、
前記掛止め孔は、前記ねじ部材の頭部が挿通可能な挿通孔部と、当該挿通孔部に連なり前記ねじ部材の頭部が挿通不能な掛止め孔部とを有し、
前記掛止め孔部に前記ねじ部材が掛止めされた状態で、前記前枠は正規の固定位置から離れて前記各側枠にぶら下がった状態となることを特徴とする簡易屋根の小屋組。
【請求項２】
前記前枠と前記側枠とは、当該前枠の端部内側面を前記側枠の小口端に押し当てた前記正規の固定位置において、相互の凹凸部により前記前枠の上側への移動が阻止され下側への移動が許容される状態で接合され、
且つ前記ねじ部材は、その頭部が前記側枠に対し前記前枠を前記固定位置より低い掛止め位置で挿通可能となるように配設され、
前記掛止め孔には、前記挿通孔部から上側に連なり、前記前枠を前記掛止め位置から前記固定位置に移動したときに前記ねじ部材が逃げる逃げ孔部が形成され、  前記逃げ孔部は、前記挿通孔部を挟んで前記掛止め孔部と上下対称形状に形成されていることを特徴とする請求項１に記載の簡易屋根の小屋組。
【発明の詳細な説明】
【０００１】
【発明の属する技術分野】
本発明は、テラス、バルコニー屋根等の簡易屋根の小屋組に関し、特に前枠が左右の側枠に支持される構造の簡易屋根の小屋組に関する。
【０００２】
【従来の技術】
従来、この種の簡易屋根の小屋組では、側枠と前枠の接合部分にブラケットを渡し、ブラケットの一方の片と側枠とをボルトにより締結すると共に、他方の片と前枠とをボルトにより締結することで（例えば実開平６−２０６４４号公報）、前枠が左右の側枠に支持固定されている。
【０００３】
【発明が解決しようとする課題】
このような従来の簡易屋根の小屋組では、組み上げられた左右の側枠に対して前枠を組み付ける場合、ブラケットを取り付けた前枠を水平に保持し、且つ左右の側枠に押し当てた状態で、ボルト止めの作業を行う必要がある。このため、前枠の組付作業を２人の作業者で行わざるを得ず、結局、他の部分は１人の作業者で間に合う場合でも、全体として２人の組付作業者を必要とする問題があった。
【０００４】
本発明は、前枠の両側枠への組付作業を１人の作業者で簡単に行うことができる簡易屋根の小屋組を提供することをその目的としている。
【０００５】
【課題を解決するための手段】
本発明の簡易屋根の小屋組は、梁間方向に架設した左右一対の側枠と、一対の側枠の先端部間に支持固定される前枠とを備えた簡易屋根の小屋組において、各側枠と前枠との接合部分に位置して前枠および側枠のいずれか一方に固定されると共に掛止め孔を形成したブラケットと、前枠および側枠の他方に固定されると共に前枠を側枠に当てがった状態で掛止め孔に掛止めされるねじ部材とを備え、掛止め孔は、ねじ部材の頭部が挿通可能な挿通孔部と、挿通孔部に連なりねじ部材の頭部が挿通不能な掛止め孔部とを有し、掛止め孔部にねじ部材が掛止めされた状態で、前枠は正規の固定位置から離れて各側枠にぶら下がった状態となることを特徴とする。
【０００６】
この構成によれば、側枠に対し前枠を水平に保持し、前枠および側枠の一方に固定したブラケットの挿通孔部に、他方に固定したねじ部材の頭部を挿通した後、前枠を下動させることにより、ねじ部材がブラケットの掛止め孔部に移動して、前枠がブラケットに掛け止め状態となる。これにより、両側枠に前枠を片側ずつ掛け止めすることができ、またこの状態で前枠を片側ずつ両側枠に固定することができる。
【０００７】
この場合、前枠と側枠とは、前枠の端部内側面を側枠の小口端に押し当てた正規の固定位置において、相互の凹凸部により前枠の上側への移動が阻止され下側への移動が許容される状態で接合され、且つねじ部材は、その頭部が側枠に対し前枠を固定位置より低い掛止め位置で挿通可能となるように配設され、掛止め孔には、挿通孔部から上側に連なり、前枠を掛止め位置から固定位置に移動したときにねじ部材が逃げる逃げ孔部が形成され、逃げ孔部は、挿通孔部を挟んで掛止め孔部と上下対称形状に形成されていることが、好ましい。
【０００８】
この構成によれば、ねじ部材は、その頭部が側枠に対し前枠を固定位置より低い掛止め位置で挿通可能となるように配設されているため、前枠の組付け作業において、前枠および側枠の相互の凸部同士が当たって、ねじ部材が挿通孔部に挿通不能となる状態を極力回避することができ、掛け止めの作業性を向上させることができる。また、固定位置での前枠の側枠への固定の際に、逃げ孔部によりねじ部材を逃がすことができる。さらに、逃げ孔部と掛止め孔部と上下対称形状に形成しているため、ブラケットを左右兼用とすることができると共に、両孔部の加工性を向上させることができる。
【０００９】
【発明の実施の形態】
以下、添付の図面に基いて、本発明の一実施形態に係る簡易屋根の小屋組をテラスに適用した場合について説明する。図１の外観図に示すように、このテラス１は、外壁Ｗに固定された後部の垂木掛け２と、垂木掛け２に平行に架設した前部の前枠３と、垂木掛け２および前枠３の外端部間に掛け渡した左右一対の側枠４，４と、一対の側枠４，４間において垂木掛け２および前枠３間に等間隔に掛け渡した複数本の垂木５と、側枠４および垂木５に沿ってその上側に設けた屋根葺き材押え６とで、その主構造部が構成されており、両側枠４，４の前部で左右の支柱７，７の上端に支持固定されている。
【００１０】
また、前枠３および垂木掛け２と、隣接する側枠４および垂木５とで区画され前後方向に長い領域には、アクリル板などの樹脂で構成された屋根葺き材８が、屋根葺き材押え６で押さえられるようにして、それぞれ取り付けられている。なお、前枠３は雨樋を兼ねており、図中の符号９は、テラス１の降雨を前枠３を介して地表に導く縦樋である。
【００１１】
次に、図２の斜視図および図３の分解斜視図を参照して、側枠４と前枠３との接合部分の構造について説明する。側枠４と前枠３とは、側枠４の小口端に前枠３の端部内面を押し当てた状態で、相互の内部間に渡した専用ブラケット（図示せず）により接合され、これにより前枠３が左右の側枠４，４に支持固定されている。また、側枠４と前枠３のコーナー部分の外側には、前枠３の小口端に装着されるようにして、コーナーキャップ１０が装着されている。さらに、側枠と前枠のコーナー部分の内側には、後述するＬ字ブラケット１１および掛止ねじ（ねじ部材）１２が配設されている。
【００１２】
各側枠４は、中空部を有するアルミニウムの形材で構成され、上端面に屋根葺き材押え６がねじ止めされている。また、側枠４の上端面に形成した段部と屋根葺き材押え６との間には、屋根葺き材（両図では省略されている）８を装着するための側枠側呑込み溝１４が形成されている。さらに、この側枠側呑込み溝１４に面して、側枠４には下シール部材が装着される下シール装着部１５が、また屋根葺き材押え６には上シール部材が装着される上シール装着部１６が、それぞれ形成されている。
【００１３】
一方、側枠４の前端部には、その内壁に切欠き部１７が形成され、この切欠き部１７から上記のＬ字ブラケット１１が前枠３側に突出すると共に、Ｌ字ブラケット１１を押さえるように前枠３の後部が嵌合している。すなわち、Ｌ字ブラケット１１は、側枠側片部１１ａが側枠４の内壁の内部側に添接した状態で、２本の固定ねじ１８，１８により内壁１９に固定され、切欠き部１７から突出した前枠側片部１１ｂが前枠３の後壁２６に添接されている。また、この切欠き部１７により側枠４に対し前枠３は、上側への移動を規制されるようにして位置決めされる。
【００１４】
前枠３は、アルミニウムの形材により、中空部を有する前枠本体２１と前枠本体２１の前側に連なる雨樋部２２とで、一体に形成されている。前枠本体２１には、その中空部の上側に屋根葺き材８を装着するための前枠側呑込み溝２３が形成され、前枠側呑込み溝２３を構成する上端片２４には上シール部材が装着される上シール装着部２５が形成されている。図示では省略しているが、前枠３の後壁２６には、上シール装着部２６に対峙する下シール装着部を形成したシール保持部材が、ねじ止めされるようになっている。また、後壁２６の下端部には、側枠３の前端部や垂木５の前端部が載置される載置片２７が延設されている。なお、掛止ねじ１２は、この後壁２６の上部に螺合している。
【００１５】
Ｌ字ブラケット１１は、左右の側枠４，４に前枠３を仮置きするためのものであり（固定は上記の専用ブラケットによる）、スチール板やステンレス板などを「Ｌ」字状に折り曲げて形成されている。Ｌ字ブラケット１１の一方の側枠側片部１１ａには、上記の固定ねじ１８が螺合する上下一対のねじ孔３１，３１が形成され、他方の前枠側片部１１ｂには、上記の掛止ねじ１２が掛け止めされる掛止め孔３２が形成されている。
【００１６】
掛止め孔３２は、上下の中間部に掛止ねじ１２の頭部１２ａが挿通可能な挿通孔部３２ａと、挿通孔部３２ａから下側に連なり掛止ねじ１２の頭部１２ａが挿通不能な掛止め孔部３２ｂと、挿通孔部３２ａから上側に連なる逃げ孔部３２ｃとで構成されている。また、逃げ孔部３２ｃは、挿通孔部３２ａを挟んで掛止め孔部３２ｂと上下対称形状に形成されている。そして、挿通孔部３２ａは円形に形成され、掛止ねじ１２の頭部１２ａより充分に太径に形成されている。掛止め孔部３２ｂおよび逃げ孔部３２ｃはいわゆる長孔であり、その端部は掛止ねじ１２の頭部１２ａより細径であって、胴部１２ｂより幾分太径に形成されている。
【００１７】
すなわち、前枠３に固定（螺合）した掛止ねじ１２は、挿通孔部３２ａからその頭部１２ａが挿入され、この状態で掛止め孔部３２ｂに移動（下動）させることで、抜け止め状態（掛止め状態）となる。また、図２に示すように、側枠４に前枠３を固定すべく位置合わせした状態では、掛止ねじ１２が逃げ孔部３２ｃに移動（上動）する（詳細は後述する）。なお、実施形態では、掛止め孔部３２ｂと逃げ孔部３２ｃとを上下対称形状とすることで、Ｌ字ブラケット１１が左右兼用となるようにしている。
【００１８】
図４は、側枠４に前枠３を掛け止めする状態を示している。両側枠４，４に前枠３を取り付ける場合には、前枠３をほぼ水平に保持して片側ずつ掛け止めした後、片側ずつ本固定を行うが、掛止め作業においては、同図に示すように、掛止ねじ１２をＬ字ブラケット１１の挿通孔部３２ａに挿通する時に、本来の固定レベル位置（仮想線で図示）より低い掛止めレベル位置（実線で図示）に前枠３を保持するようにしている。すなわち、前枠３を掛止めレベル位置に保持した状態で、掛止ねじ１２とＬ字ブラケット１１の挿通孔部３２ａとが合致するようになっている。これにより、例えば前枠３のＰ1 の部分が側枠４のＰ2 の部分に、或いは前枠３のＱ1 の部分が側枠４のＱ2 の部分に当たって、掛止ねじ１２の挿通作業が良好に行われなくなるのを、防止している。
【００１９】
掛止ねじ１２をＬ字ブラケット１１の挿通孔部３２ａに挿通した後、前枠３を手から離すと、掛止ねじ１２が挿通孔部３２ａが掛止め孔部３２ｂに移動して、前枠３はＬ字ブラケット１１のぶら下がるようにして掛け止めされる。さらに、前枠３を側枠４に本固定するときには、ぶら下がっている前枠３を上記の固定レベル位置まで移動させてから固定作業に移る。このとき、掛止ねじ１２は、掛止め孔部３２ｂから挿通孔部３２ａを通過して逃げ孔部３２ｃに移動する（図２参照）。
【００２０】
なお、掛止ねじ１２は、前枠３を側枠４に本固定した後に締め付けておくことが好ましい。また、掛止ねじ１２の取り付けに当たって、その突出寸法を確保すべく、掛止ねじ１２を段突きねじとしてもよい。かかる場合には、本固定した後に締め付けは行わない。
【００２１】
以上のように本実施形態によれば、掛止め孔３２を形成したＬ字ブラケット１１と掛止ねじ１２との協働により、両側枠４，４に前枠３を取り付ける際に、本固定に先立って前枠３を両側枠４，４，に片側ずつ掛け止めしておくことができる。このため、前枠３の側枠４への組付作業を１人の作業者で行うことができる。したがって、テラス１の組立作業における作業コストを削減することができる。
【００２２】
なお、上記実施形態では、側枠にブラケットを固定し前枠に掛止ねじを固定しているが、これを逆にし、側枠に掛止ねじを固定し前枠にブラケットを固定するようにしてもよい。かかる場合には、平板状のブラケットを用い、これを前枠の後面に固定すると共に、掛止ねじを支持部材に固定し、この支持部材を介して掛止ねじを側枠の前端部に固定することが、好ましい。
【００２３】
【発明の効果】
以上のように本発明の簡易屋根の小屋組によれば、前枠を両側枠に片側ずつ掛け止めすることができ、この状態で前枠を片側ずつ両側枠に固定することができるので、前枠の組付作業を１人の作業者で簡単に行うことができる。したがって、簡易屋根の施工に際し、作業の安全性を損なうことなく、組立作業の効率化を図ることができる。
【図面の簡単な説明】
【図１】本発明の一実施形態に係る小屋組を備えたテラスの外観図である。
【図２】小屋組における側枠と前枠との接合部分の斜視図である。
【図３】小屋組における側枠と前枠との接合部分の分解斜視図である。
【図４】側枠に前枠を掛け止めする状態を示す側面図である。
【符号の説明】
１  テラス、３  前枠、４  側枠、１１  Ｌ字ブラケット、１２  掛止ねじ、１２ａ  頭部、１７  切欠き部、１８  固定ねじ、２１  前枠本体、２６  後壁、２７  載置片、３２  掛止め孔、３２ａ  挿通孔部、３２ｂ  掛止め孔部、３２ｃ  逃げ孔部
【図１】
0003769438.tif 000002
【図２】
0003769438.tif 000003
【図３】
0003769438.tif 000004
【図４】
0003769438.tif 000005